(57)【特許請求の範囲】
【請求項１】
位置に基づくグループ生成方法であって、
記憶モジュールにより移動端末識別子に対応する移動端末位置情報を記憶するステップと、
第１の移動端末から位置エリアを指示するグループ生成請求を受信するステップと、
記憶された移動端末位置情報に基づいて、第１の移動端末識別子を除いたグループ生成請求に指示された前記位置エリアにある他の移動端末識別子を確定するステップと、
確定された他の移動端末識別子と第１の移動端末識別子をグループに設定するステップと、
グループ識別子及びグループ情報を含むグループメッセージを前記グループ内の移動端末から受信するステップと、
前記グループ識別子に対応するグループを確定するステップと、
前記グループメッセージに含まれるグループ情報を、前記グループメッセージを送信した移動端末以外の前記グループ識別子に対応するグループ内の前記移動端末に送信するステップと
を有するグループ生成方法。
【請求項２】
前記移動端末位置情報は、自己検出後、移動端末により報告される請求項１に記載の方法。
【請求項３】
前記位置エリアは、第１の移動端末の地理的位置及び第１の移動端末に特定された地理的位置のうちの一つの位置点を含む請求項１に記載の方法。
【請求項４】
前記位置エリアは、前記位置点を中心とし特定の距離まで延伸した円形または矩形のうちの一つのエリアである請求項３に記載の方法。
【請求項５】
グループ識別子を前記グループに割り当てるステップと、
前記グループ内の移動端末に前記グループ識別子を送信するステップと、
をさらに有する請求項１に記載の方法。
【請求項６】
グループ識別子を含むグループ削除メッセージを前記第１の移動端末から受信するステップと、
前記グループ識別子に対応するグループを削除するステップと、
をさらに有する請求項１に記載の方法。
【請求項７】
位置に基づくグループ生成システムであって、移動端末とサーバとを有し、前記移動端末は第１の移動端末と他の移動端末とを有し、
前記第１の移動端末は位置エリアを指示するグループ生成請求を前記サーバに送信し、前記サーバは移動端末識別子に対応する移動端末位置情報を記憶し、第１の移動端末からグループ生成請求を受信し、記憶された移動端末位置情報に基づいて第１の移動端末識別子を除いたグループ生成請求に指示された位置エリアにある他の移動端末識別子を確定し、確定された他の移動端末識別子と第１の移動端末識別子をグループに設定し、
グループ内の移動端末は、さらに、グループ識別子及びグループ情報を含むグループメッセージを送信及び受信し、且つ、
前記サーバは、さらに、グループ内の移動端末からグループ識別子及びグループ情報を含むグループメッセージを受信し、グループ識別子に対応するグループを確定し、且つ前記グループメッセージに含まれるグループ情報を、前記グループメッセージを送信した移動端末以外の前記グループ識別子に対応するグループ内の前記移動端末に送信するグループ生成システム。
【請求項８】
前記サーバは、さらに、前記グループにグループ識別子を割り当て、且つグループ内の移動端末に前記グループ識別子を送信する請求項７に記載のシステム。
【請求項９】
第１の移動端末は、さらに、グループ識別子を含むグループ削除メッセージを前記サーバに送信し、且つ
前記サーバは、さらに、グループ識別子を含むグループ削除メッセージを前記第１の移動端末から受信し、前記グループ識別子に対応するグループを削除する請求項７に記載のシステム。
【請求項１０】
位置に基づくグループ生成装置であって、
移動端末識別子に対応する移動端末位置情報を記憶する記憶モジュールと、
第１の移動端末から位置エリアを指示するグループ生成請求を受信し、前記グループ生成請求を送信する送受信モジュールと、
記憶モジュールにより記憶された移動端末位置情報に基づいて第１の移動端末識別子を除いたグループ生成請求に指示された位置エリアにある他の移動端末識別子を確定し、確定された他の移動端末識別子と第１の移動端末識別子をグループに設定する設定モジュールと、
を有し、
前記送受信モジュールは、さらに、グループ識別子及びグループ情報を含むグループメッセージを前記グループ内の移動端末から受信し、前記設定モジュールで前記グループ識別子に対応するグループを確定し、且つ前記グループメッセージに含まれるグループ情報を、前記グループメッセージを送信した移動端末以外の前記グループ識別子に対応する確定したグループ内の移動端末に送信するグループ生成装置。
【請求項１１】
設定モジュールは、さらに、前記グループにグループ識別子を割り当て、且つ前記送受信モジュールは、さらに、前記グループ内の移動端末に前記グループ識別子を送信する請求項１０に記載の装置。
【請求項１２】
前記送受信モジュールが第１の移動端末からグループ識別子を含むグループ削除メッセージを受信した後、前記グループ識別子に対応するグループを削除する削除モジュールをさらに有する請求項１０に記載の装置。
【発明の詳細な説明】
【技術分野】
【０００１】
本発明は移動通信分野に関し、特に位置に基づくグループ生成方法、装置及びシステムに関する。
【背景技術】
【０００２】
インターネット技術の発展に伴い、益々多くのアプリケーションが移動端末で実行できるようになり、ユーザの移動端末を使用する際の体験が改善されている。これらの多数のアプリケーションには、移動端末の位置を決定するための位置決定アプリケーションが含まれる。位置決定アプリケーションは、全地球位置決定システム（ＧＰＳ：Ｇｌｏｂａｌ  Ｐｏｓｉｔｉｏｎｉｎｇ  Ｓｙｓｔｅｍ）を採用し、移動端末を位置決定することができる。具体的には、ＧＰＳモジュールが移動端末に実装され、移動ネットワークにより移動端末の現在位置を確定する。移動端末の位置が確定された後、移動端末が存在するそのエリアの建物情報が取得される。各エリアにある建物情報は移動ネットワークのサーバに予め記憶され、又は一定のエリアにある建物情報が移動端末に予めダウンロードされている。ＧＰＳモジュールを使用して移動端末の位置を確定した後、移動端末はサーバからその位置の周辺にあるエリアの建物情報を取得し、又は対応するエリアの建物情報をローカル的に取得することができる。ここで、建物はレストラン、映画館などが含まれる。
【０００３】
インターネット技術における位置決定アプリケーションの発展に伴い、第１の移動端末の位置点の周辺エリアにある建物情報を取得できるだけでなく、第１の移動端末の位置点の周辺エリアにある他の移動端末の位置も定めることができる。詳細な解決策は以下のとおりである。
【０００４】
はじめに、位置を定めようとする移動端末の識別子を移動ネットワークのサーバに登録する。識別子は電子メールアドレス、ユーザ名、または移動端末の移動ネットワーク番号であってもよい。
【０００５】
そして、位置を定めようとする携帯端末は移動ネットワークのサーバへ接続を確立し、即ち位置を定めようとする移動端末を使用するユーザが移動ネットワークのネットワーク側サーバにログインし、
その後、位置を定めようとする移動端末はＧＰＳモジュールを用いて自己の位置を周期的に確定し、確定した位置及び対応する移動端末識別子を記憶用の移動ネットワークのサーバに報告する。
【０００６】
そして最後に、位置を定めようとする何れかの移動端末がＧＰＳを用いて自己の位置を確定した後、この移動端末がその位置点の周辺エリアにある他の移動端末の情報を取得するための請求を移動ネットワークのサーバに送信した時、移動ネットワークのサーバは記憶された位置を定めようとするほかの移動端末の位置情報に基づいて、請求を送信した移動端末の位置点の周辺エリアにある位置を定めようとする他の移動端末を確定し、当該確定したほかの移動端末の識別子を請求を送信した移動端末に送信する。
【０００７】
これにより、請求を送信した移動端末はその移動端末の位置点の周辺エリアにある位置を定めようとする他の移動端末を知ることができ、移動ネットワークのサーバにより、そのエリアにある位置を定めようとする他の移動端末と例えば、ＷｅＣｈａｔ通信の実行などのメッセージの交換をすることができる。
【０００８】
しかしながら、上記の解決策は第１の移動端末の位置点の周辺エリアにある位置を定めようとする他の移動端末の位置を定めることができるものの、第１の移動端末と第１の移動端末の位置点の周辺エリアにある他の移動端末はポイント・ツー・ポイント（ｐｏｉｎｔ  ｔｏ  ｐｏｉｎｔ）モードにおいてメッセージを交換する。メッセージを通知するとき、第１の移動端末は、ポイント・ツー・ポイントモードにおいてすべての第１の移動端末の位置点の周辺エリアにある他の移動端末に対してそれぞれ通知するが、これは相当複雑であり、かつ第１の移動端末を使用するユーザに不快な体験をもたらすものである。
【発明の概要】
【０００９】
以上に鑑み、本発明の実施例は、第１の移動端末と第１の移動端末の位置エリアにある他の移動端末を含むグループを生成する位置に基づくグループ生成方法を提供する。
本発明の実施例は、さらに、第１の移動端末と第１の移動端末の位置エリアにある他の移動端末を含むグループを生成する位置に基づくグループ生成装置を提供する。
【００１０】
本発明の実施例は、さらに、第１の移動端末と第１の移動端末の位置エリアにある他の移動端末を含むグループを生成する位置に基づくグループ生成システムを提供する。
【００１１】
位置に基づくグループ生成方法は、記憶モジュールにより移動端末識別子に対応する移動端末位置情報を記憶するステップと、第１の移動端末から位置エリアを指示するグループ生成請求を受信するステップと、記憶された移動端末位置情報に基づいて、第１の移動端末識別子を除いたグループ生成請求に指示された位置エリアにある他の移動端末識別子を確定するステップと、確定された他の移動端末識別子と第１の移動端末識別子をグループ識別子に対応するグループに設定するステップと、を有する。
【００１２】
位置に基づくグループ生成システムは、移動端末とサーバとを有し、移動端末は第１の移動端末と他の移動端末とを有し、第１の移動端末は位置エリアを指示するグループ生成請求をサーバに送信し、サーバは移動端末識別子に対応する移動端末位置情報を記憶し、第１の移動端末から位置エリアを指示するグループ生成請求を受信し、記憶された移動端末位置情報に基づいて第１の移動端末識別子を除いたグループ生成請求に指示された位置エリアにある他の移動端末識別子を確定し、確定された他の移動端末識別子と第１の移動端末識別子をグループ識別子に対応するグループに設定する。
【００１３】
位置に基づくグループ生成装置は、設定モジュールと、記憶モジュールと、送受信モジュールを有し移動端末識別子に対応する移動端末位置情報を記憶する記憶モジュールと、第１の移動端末から位置エリアを指示するグループ生成請求を受信し、設定モジュールに請求を送信する送受信モジュールと、記憶モジュールの中に記憶された移動端末位置情報に基づいて第１の移動端末識別子を除いたグループ生成請求に指示された位置エリアにある他の移動端末識別子を確定し、確定された他の移動端末識別子と第１の移動端末識別子をグループ識別子に対応するグループに設定する設定モジュールと、を有する。
【００１４】
開示された上記技術的解決策によれば、本発明における移動ネットワークにあるサーバが第１の移動端末から位置エリアを指示するグループ生成請求を受信したとき、サーバは第１の移動端末とその位置エリアにある他の移動端末を含むグループを生成する。これにより、本発明は第１の移動端末と第１の移動端末の位置エリアにある他の移動端末を含むグループを生成し、グループに情報を転送することができる。第１の移動端末を使用するユーザが情報を送信するとき、ユーザは当該情報を端末に一つずつ送信する悩みから開放され、使用が簡単且つ便利になり、ユーザの体験が快適になる。
【図面の簡単な説明】
【００１５】
【図１】本発明の実施例による位置に基づくグループ生成方法のフロー図である。
【図２】本発明の実施例による位置に基づくグループ生成システムの構造模式図である。
【図３】本発明の実施例による位置に基づくグループ生成装置の構造模式図である。
【発明を実施するための形態】
【００１６】
本発明の技術的解決策の利点をよりわかりやすくするために、以下に、添付図面及び本発明の実施例を用いて本発明の詳細を説明する。
【００１７】
背景技術で説明したように、第１の携帯端末を使用するユーザがメッセージを送信するとき、ユーザは当該メッセージを第１の移動端末の位置エリアにある他の移動端末に一つずつ送信しなければならず、これは相当複雑であり、かつ第１の移動端末を使用するユーザに不快な体験をもたらすものである。したがって、本発明において提供する前記方法、前記システム、前記装置は、移動ネットワークのサーバが第１の移動端末から位置エリアを指示するグループ生成請求を受信した時に、第１の移動端末及びその位置エリアにある他の移動端末を含むグループをサーバに生成する。
【００１８】
さらに、グループ識別子とグループ情報を含むグループメッセージがグループ内の移動端末から受信された時は、サーバは当該グループ識別子に対応するグループ内の他の移動端末識別子を確定し、グループ内の他の移動端末にグループメッセージに含まれるグループ情報を送信する。
【００１９】
これにより、本発明は第１の移動端末及び第１の移動端末の位置エリア内の他の移動端末を含むグループを生成し、グループに情報を転送することができる。
【００２０】
本発明の実施例において、「第１の移動端末」は他の移動端末と区別するために用いられる用語であり、特に限定するためのものではない。いかなる移動端末もグループ生成請求を送信することができ、いかなる移動端末も第１の移動端末となることができる。
【００２１】
本発明の実施例において、位置エリアは、第１の移動端末の地理的位置又は第１の移動端末に特定された地理的位置のうちの一つの位置点を含み、前記位置エリアは、前記位置点を中心とし設定された距離まで延伸した円形または矩形のエリアである。
【００２２】
図１は本発明の実施例による位置に基づくグループ生成方法のフロー図である。当該方法は、以下のステップを含む：
ステップ１００：サーバが、移動端末識別子に対応する移動端末位置情報を記憶する。当該方法は予めサーバにより実行される。
【００２３】
ステップ１０１：サーバが第１の移動端末から位置エリアを指示するグループ生成請求を受信する。このステップにおいて、第１の携帯端末と他の携帯端末はいずれもサーバに登録された携帯端末である。すなわち、サーバに接続した後、サーバにより指示されたように、第１の携帯端末と他の携帯端末は、自己により測定した各自の携帯端末位置情報を周期的または不規則な間隔でサーバに報告し、サーバが移動端末識別子に対応する移動端末位置情報を記憶する。
【００２４】
ステップ１０２：記憶された移動端末位置情報に基づいて、サーバが第１の移動端末識別子を除いたグループ生成請求に指示された前記位置エリアにある他の移動端末識別子を確定する。第１の携帯端末と他の携帯端末が各自の携帯端末位置情報をサーバに送信するため、サーバは第１の携帯端末及び位置エリア内に位置する他の携帯端末を知ることができる。
【００２５】
ステップ１０３：サーバは確定された他の移動端末識別子と第１の移動端末識別子をグループに設定する。本ステップにおいて、グループ内の第１の移動端末はグループマスターとして識別されもよい。さらに、サーバはグループのためにグループ識別子を設定してもよい。
【００２６】
上記に説明した例により、グループが生成される。グループがサーバで生成された後、サーバはグループ内の携帯端末にグループ識別子を送信することができる。
【００２７】
さらに、図１において、以下の後続ステップを有してもよい：
ステップ１０４：サーバがグループ識別子及びグループ情報を含むグループメッセージを移動端末から受信する。
【００２８】
ステップ１０５：サーバがグループ識別子に基づいてグループを確定し、且つ前記グループメッセージに含まれるグループ情報を、前記グループメッセージを送信した移動端末以外の対応するグループ内の前記移動端末に送信する。
【００２９】
第１の移動端末は第１の移動端末の位置の周辺エリアの地図をサーバからダウンロードし、第１の移動端末のユーザインターフェースで当該地図を表示する。第１の移動端末が位置エリアを指示するグループ生成請求を送信する前に、第１の移動端末はユーザインターフェースを通じてユーザにより入力された位置エリアを指示するグループ生成請求を受信する。例えば、ユーザはタッチスクリーンの入力モードまたは文字入力モードを使用して地図上に円形、矩形または不規則な閉図形を画くことによりエリアを特定し、当該エリア内の他の移動端末を検索する。検索エリアは特定されたエリア又は第１の移動端末の位置点の周辺のエリアであって、当該位置点または第１の移動端末により特定された地理的位置を中心とし特定の距離まで延伸した円形または矩形エリアである。エリアの位置点はユーザの第１の移動端末の地理的位置点（即ち第１の移動端末の位置点）、またはユーザが他の手段もしくは地図を使用して第１の移動端末で特定した地理的位置点であってもよい。
【００３０】
本発明の実施例によれば、サーバが第１の移動端末のためにグループを生成した後、第１の移動端末はグループ識別子およびグループ情報を含むグループメッセージを送信することによりグループ活動を実行することができる。例えば、グループ活動を初期化するとき、第１の移動端末は場所、時間、活動内容などを含むグループ情報を送信し、グループ内の他の移動端末のユーザを当該活動に参加するように招待する。又は、グループ会話を初期化するとき、第１の移動端末は会話内容を含むグループ情報を送信し、グループ内の会話のやりとりを実行する。グループ内の他の移動端末も、グループメッセージを送信することによりグループ活動を実行することができる。
【００３１】
本発明の実施例によれば、当該方法は、サーバがグループ識別子及びグループ情報を含むグループメッセージをグループ生成請求を送信した第１の移動端末以外の移動端末から受信するステップと、サーバがグループ識別子に対応するグループを確定し、当該グループメッセージに含まれるグループ情報を、前記グループメッセージを送信した移動端末以外の当該グループ識別子に対応するグループ内の移動端末に送信するステップと、をさらに有する。
【００３２】
ここで、他のいかなる移動端末もサーバから当該移動端末を含むグループのグループ識別子を取得し、グループ内にグループメッセージを送信するためにサーバに接続されてもよい。
【００３３】
本発明の実施例において、当該方法は、グループ識別子を含むグループ削除メッセージを前記第１の移動端末から受信した後に、削除メッセージに含まれたグループ識別子に対応する記憶されたグループを削除するステップをさらに有する。
【００３４】
削除の前に、サーバは受信したグループ削除メッセージが第１の移動端末により送信されたグループ削除メッセージか否かを判断する必要があり、且つそうであれば削除を実行し、又はグループ内の他の移動端末により送信されたグループ削除メッセージであれば、削除は実行されない。
【００３５】
図２は本発明の実施例による位置に基づくグループ生成システムの構造模式図である。当該システムは、移動端末とサーバ２３を含み、当該移動端末は、第１の移動端末（本移動端末）２１と、他の移動端末２２とを含み、第１の移動端末２１は位置エリアを指示するグループ生成請求をサーバ２３に送信し、サーバ２３は移動端末識別子に対応する移動端末位置情報を記憶し、位置エリアを指示するグループ生成請求を第１の移動端末２１から受信し、記憶された移動端末位置情報に基づいて第１の移動端末識別子を除いたグループ生成請求に指示された位置エリアにある他の移動端末識別子を確定し、確定された他の移動端末識別子と第１の移動端末識別子をグループ識別子に対応するグループに設定する。当該システムにおいて、サーバ２３は、さらに、グループにグループ識別子を割り当て、且つグループ内の移動端末に前記グループ識別子を送信する。
【００３６】
当該システムにおいて、グループ内の移動端末は、さらに、グループ識別子とグループ情報を含むグループメッセージを送信し、受信する。
【００３７】
サーバ２３は、さらに、グループ識別子とグループ情報を含むグループメッセージをグループ内の移動端末から受信し、グループ識別子に対応するグループを確定し、グループメッセージに含まれるグループ情報を対応するグループの他の移動端末２２に送信する。
【００３８】
当該システムにおいて、第１の移動端末２１は、さらに、グループ識別子を含むグループ削除メッセージをサーバ２３に送信する。
【００３９】
サーバ２３は、さらに、グループ識別子を含むグループ削除メッセージを第１の移動端末２１から受信し、グループ識別子に対応するグループを削除する。
【００４０】
当該システムにおいて、サーバ２３に記憶された移動端末位置情報は、第１の移動端末２１と他の移動端末２２が各自自己検索を実行した後に、サーバにより指示されたように第１の移動端末２１と他の移動端末２２によって通知される。
【００４１】
図３は本発明の実施例による位置に基づくグループ生成装置の構造模式図である。当該装置はサーバであって、設定モジュール３１と、記憶モジュール３２と、送受信モジュール３３と、を含み、記憶モジュール３２は移動端末識別子に対応する移動端末位置情報を記憶し、送受信モジュール３３は第１の移動端末から位置エリアを指示するグループ生成請求を受信し、設定モジュール３１に当該請求を送信し、設定モジュール３１は記憶モジュールの中に記憶された移動端末位置情報に基づいて第１の移動端末識別子を除いたグループ生成請求に含まれた位置エリアにある他の移動端末識別子を確定し、確定された他の移動端末識別子と第１の移動端末識別子をグループ識別子に対応するグループに設定する。
【００４２】
当該装置において、設定モジュール３１は、さらに、グループにグループ識別子を割り当て、且つ送受信モジュール３３は、さらに、グループ内の移動端末にグループ識別子を送信する。
【００４３】
当該装置において、送受信モジュール３３は、さらに、グループ識別子とグループ情報を含むグループメッセージをグループ内の移動端末から受信し、設定モジュール３１で当該グループ識別子に対応するグループを確定し、且つグループメッセージに含まれるグループ情報を当該グループ識別子に対応する確定された対応グループ内のグループメッセージを送信した移動端末以外の移動端末に送信する。
【００４４】
当該装置は、送受信モジュールが第１の移動端末からグループ識別子を含むグループ削除メッセージを受信した後、当該グループ識別子に対応するグループを削除する削除モジュール（図示せず）をさらに含む。
【００４５】
当該装置において、記憶モジュール３２に記憶された移動端末位置情報は、第１の移動端末と他の移動端末が各自自己検索を実行した後に、サーバにより命令されたときに送受信モジュールを通じて第１の移動端末と他の移動端末によって通知される。
【００４６】
本発明の実施例において提供される方法、システム及び装置を通じて、ユーザは第１の移動端末を用いて位置エリアに基づいて関係する地理的エリアの特定グループを生成することができる。グループ内の第１の移動端末のユーザ及び他の端末のユーザは彼らが興味を有する事柄について議論することができ、彼らの興味がある活動に参加することができ、よってグループ協力する手段を改善することができ、グループ協力の柔軟性を高め、グループの生成を簡易化、柔軟化させ、ユーザの体験及び本質的な交際を強化させる。
【００４７】
本発明の実施例による公開された方法は、コンピュータソフトウェア製品の形態で具体化することができる。コンピュータソフトウェア製品は例えば当該コンピュータのフロッピー（登録商標）ディスク、ハードディスク、又は光学ディスク記憶媒体に記憶され、コンピュータデバイス（例えば、パースなるコンピュータ、サーバ、またはネットワークデバイス）に本発明のそれぞれの実施例で公開された方法を実行するいくつかの指令を含み、又はユニバーサルハードウェアデバイスを本発明の実施例に公開された解決策を実施する本発明のデバイスとする。ユニバーサルハードウェアデバイスは、例えばＲＯＭ／ＲＡＭなどの指令を記憶するためのメモリーであってもよく、又は例えばＣＰＵなどのメモリーと接続され、メモリーにある指令を実行するプロセッサであってもよい。
【００４８】
上記に説明したものは本発明の好ましい実施例に過ぎず、本発明の保護範囲を限定することを意図するものではない。本発明の精神又は趣旨の範囲内で行われる、修正、均等な置換、改善は、本発明の保護範囲に含まれるものとする。
【図１】
0005860968.tif 000002
【図２】
0005860968.tif 000003
【図３】
0005860968.tif 000004